【手続補正書】
【提出日】平成25年8月23日(2013.8.23)
【手続補正１】
【補正対象書類名】特許請求の範囲
【補正対象項目名】全文
【補正方法】変更
【補正の内容】
【特許請求の範囲】
【請求項１】
金型で成形されたプラスチックレンズであって、
光軸と直交する方向に形成された長い方形状の入出射面からなる光学面と、
前記光学面に隣接する長手方向の側面である長尺側面部と、
前記長尺側面部に一つ以上形成され、前記プラスチックレンズを他の部材に対して位置決めする際の位置決め基準となる位置決め基準部と、
前記光学面に隣接する短手方向の側面である短尺側面部であって、樹脂の注入口が形成されたゲート側短尺側面部と、
前記光学面に隣接する短手方向の側面である短尺側面部であって、前記ゲート側短尺側面部と反対側に位置する反ゲート側短尺側面部と、
前記反ゲート側短尺側面部に形成された凸形状または凹形状の振られ抑制形状部と、
を有することを特徴とするプラスチックレンズ。
【請求項２】
前記位置決め基準部は、前記光軸と直交する方向に突出する凸形状であることを特徴とする請求項１に記載のプラスチックレンズ。
【請求項３】
前記位置決め基準部は、前記光軸と直交する方向に後退する凹形状であることを特徴とする請求項１に記載のプラスチックレンズ。
【請求項４】
プラスチックレンズの製造方法であって、
少なくとも、振られ抑制形状部を成形するための成形部を有する短尺側面部形成スライドブロックおよび位置決め基準部を成形するための位置決め基準部成形部を有する長尺側面部形成スライドブロックによって囲まれた空間にゲートから樹脂を供給する工程と、
前記長尺側面部形成スライドブロックを短手方向に、前記位置決め基準部の短手方向の寸法以上の距離を移動させて、前記位置決め基準部から完全に離型させると同時に、
前記短尺側面部形成スライドブロックを長手方向に移動させてレンズ長手方向の膨張力を開放するとともに、前記振られ抑制形状部を前記短尺側面部形成スライドブロックに保持する、型開き工程と、
を有することを特徴とするプラスチックレンズの製造方法。
【請求項５】
前記短尺側面部形成スライドブロックは、前記型開時、前記プラスチックレンズの長手
方向の自然膨張によって移動することを特徴とする請求項４に記載のプラスチックレンズの製造方法。
【請求項６】
前記長尺側面部形成スライドブロックを短手方向の移動距離は３ｍｍ以上６ｍｍ以下であり、前記短尺側面部形成スライドブロックの長手方向の移動距離は１ｍｍ以上２ｍｍ以下であることを特徴とする請求項４に記載のプラスチックレンズの製造方法。
【請求項７】
ゲートから樹脂を供給するキャビティによってプラスチックレンズを成形するための成形用金型であって、
前記キャビティを形成する、光軸と直交する方向に形成された長い方形状の入出射面からなる光学面を形成するための成形駒と、
前記プラスチックレンズを他の部材に対して位置決めする際の位置決め基準となる位置決め基準部を形成するための位置決め基準部成形部を少なくとも１つ以上有し、前記光学面に隣接する長手方向の側面である長尺側面部を成形するための長尺側面部形成スライドブロックと、
前記光学面に隣接する短手方向の側面である短尺側面部であって、前記ゲートとは反対側に形成され、凸形状または凹形状の振られ抑制形状部を形成するための成形部を有する短尺側面部形成スライドブロックと、を有し、
前記長尺側面部形成スライドブロックは、前記位置決め基準部の前記短手方向の寸法より長い移動量を有し、
前記短尺側面部形成スライドブロックは、前記振られ抑制形状部の前記長手方向の寸法より短い移動量を有することを特徴とするプラスチックレンズを成形するための成形用金型。
【請求項８】
前記短尺側面部形成スライドブロックは、型開時、前記プラスチックレンズの長手方向の自然膨張によって移動することを特徴とする請求項７に記載のプラスチックレンズの成形用金型。
【手続補正２】
【補正対象書類名】明細書
【補正対象項目名】発明の名称
【補正方法】変更
【補正の内容】
【発明の名称】プラスチックレンズおよびその製造方法と成形用金型
【手続補正３】
【補正対象書類名】明細書
【補正対象項目名】０００１
【補正方法】変更
【補正の内容】
【０００１】
本発明は、プラスチックを材料として、成形用金型部材により成形されるｆθレンズなどのプラスチックレンズおよびその製造方法と成形用金型に関する。
特に、カラーレーザープリンターやカラー複写機の画像記録装置の走査光学系に用いられるｆθレンズの光学特性が、金型での成形において損なわれないように構成する技術に関するものである。
【手続補正４】
【補正対象書類名】明細書
【補正対象項目名】００１０
【補正方法】変更
【補正の内容】
【００１０】
本発明は、上記課題に鑑み、レンズの長手方向の膨張を規制せず、レンズの側面方向の振れを抑止し、光学特性を損なわない成形が可能となるプラスチックレンズおよびその製造方法と成形用金型の提供を目的とする。
【手続補正５】
【補正対象書類名】明細書
【補正対象項目名】００１１
【補正方法】変更
【補正の内容】
【００１１】
本発明は、つぎのように構成したプラスチックレンズおよびその製造方法と成形用金型を提供するものである。
本発明のプラスチックレンズは、金型で成形され、光軸と直交する方向に形成された長い方形状の入出射面からなる光学面と、
前記光学面に隣接する長手方向の側面である長尺側面部と、
前記長尺側面部に一つ以上形成され、前記プラスチックレンズを他の部材に対して位置決めする際の位置決め基準となる位置決め基準部と、
前記光学面に隣接する短手方向の側面である短尺側面部であって、樹脂の注入口が形成されたゲート側短尺側面部と、
前記光学面に隣接する短手方向の側面である短尺側面部であって、前記ゲート側短尺側面部と反対側に位置する反ゲート側短尺側面部と、
前記反ゲート側短尺側面部に形成された凸形状または凹形状の振られ抑制形状部と、を有することを特徴とする。
また、本発明のプラスチックレンズの製造方法は、
少なくとも、振られ抑制形状部を成形するための成形部を有する短尺側面部形成スライドブロックおよび位置決め基準部を成形するための位置決め基準部成形部を有する長尺側面部形成スライドブロックによって囲まれた空間にゲートから樹脂を供給する工程と、
前記長尺側面部形成スライドブロックを短手方向に、前記位置決め基準部の短手方向の寸法以上の距離を移動させて、前記位置決め基準部から完全に離型させると同時に、
前記短尺側面部形成スライドブロックを長手方向に移動させてレンズ長手方向の膨張力を開放するとともに、前記振られ抑制形状部を前記短尺側面部形成スライドブロックに保持する、型開き工程と、
を有することを特徴とする。
また、本発明のプラスチックレンズの成形用金型は、ゲートからキャビティに樹脂を供給しプラスチックレンズを成形するための成形用金型であって、
前記キャビティを形成する、光軸と直交する方向に形成された長い方形状の入出射面からなる光学面を形成するための成形駒と、
前記プラスチックレンズを他の部材に対して位置決めする際の位置決め基準となる位置決め基準部を形成するための位置決め基準部成形部を少なくとも１つ以上有し、前記光学面に隣接する長手方向の側面である長尺側面部を成形するための長尺側面部形成スライドブロックと、
前記光学面に隣接する短手方向の側面である短尺側面部であって、前記ゲートとは反対側に形成され、凸形状または凹形状の振られ抑制形状部を形成するための成形部を有する短尺側面部形成スライドブロックと、を有し、
前記長尺側面部形成スライドブロックは、前記位置決め基準部の前記短手方向の寸法より長い移動量を有し、
前記短尺側面部形成スライドブロックは、前記振られ抑制形状部の前記長手方向の寸法より短い移動量を有することを特徴とする。
【手続補正６】
【補正対象書類名】明細書
【補正対象項目名】００１２
【補正方法】変更
【補正の内容】
【００１２】
本発明によれば、レンズの長手方向の膨張を規制せず、レンズの短手方向の振れを抑止し、光学特性を損なわない成形が可能となるプラスチックレンズおよびその製造方法と成形用金型を実現することができる。
【手続補正７】
【補正対象書類名】明細書
【補正対象項目名】００１５
【補正方法】変更
【補正の内容】
【００１５】
次に、本発明の長尺光学素子を成形するための金型および本発明の長尺光学素子の製造方法の一実施形態について、図３を用いて説明する。
図３は、本発明の長尺光学素子の一実施形態であるｆθレンズを成形するための成形用金型の離型時における可動側パーティング方向からの挙動を説明する図である。
図３（ａ）は、位置決め基準部１０２として凸形状部が２箇所成形される実施形態を示す図であり、型開時の成形品とスライドブロックの関係について示している。
図３（ｂ）は、位置決め基準部１０２’として凹形状部が１箇所成形される実施形態を示している。１０５は短尺側面部形成スライドブロック、１０６は長尺側面部形成スライドブロックである。
型閉時には、短尺側面部形成スライドブロック１０５、長尺側面部形成スライドブロック１０６、光学面を成形する為の成形駒によって囲まれた空間がキャビティとなる。
このキャビティに、ランナー１０８を通ってゲート１０７から樹脂が供給されて、本発明の長尺光学素子であるプラスチックレンズが成形される。
長尺側面部形成スライドブロック１０６は、長尺光学素子の長尺側面部を形成するためのブロックであり、凸形状の位置決め基準部１０２を成形するための位置決め基準部成形部１０３を有している。
あるいは、長尺側面部形成スライドブロック１０６は、凹形状の位置決め基準部１０２’を成形するための位置決め基準部成形部１０３’を有している。
型開きの際、短手方向２０６に移動し、長尺側面部形成スライドブロック１０６が、長尺側面部１２１から離れ、図３の状態となる。長尺側面部形成スライドブロック１０６の型開時の移動は、アンギュラピン等により移動させてもよい。
また、シリンダ等の駆動手段により移動させてもよいが、長尺側面部に配置された位置決め基準部１０２、１０２’が、長尺側面部形成スライドブロック１０６から完全に離型するために必要なストロークより長い距離を移動するように構成されている。
つまり、位置決め基準部１０２の短手方向の寸法以上（突出量以上）の距離を移動する（移動量を有する）ように構成され、また、位置決め基準部１０２’の短手方向の寸法以上（くぼみ量以上）の距離を移動するように構成されている。
位置決め基準部１０２の短手方向の寸法は、だいたい２ｍｍ〜３ｍｍに設定されていることが多い。よって、長尺側面部形成スライドブロック１０６の短手方向への移動距離は、好ましくは３ｍｍ以上６ｍｍ以下である。必要以上に移動距離を長くすると金型が大型化してしまい好ましくない。